(57)【要約】
【課題】　設定時刻において、なかなか消すことが出来ない照明を作業者に違和感を与えずに切ることができる消灯制御装置を提供する。
【解決手段】　複数の照明スイッチ回路２１−１〜４を制御して、消灯時刻に順に照明を消す消灯制御装置であって、１の照明スイッチ回路をＯＦＦ状態にしてから、他の１の照明スイッチ回路をＯＦＦ状態にする消灯間隔時間を設定する消灯パターン選択部１２と、設定した消灯間隔時間を記憶する消灯パターン記憶部１３と、消灯時刻において、１の照明スイッチ回路をＯＦＦ状態にし、消灯時刻から消灯パターン記憶手段に記憶された消灯間隔時間経過後に、他の１の照明スイッチ回路をＯＦＦ状態にする制御部１０とを具備する。
【選択図】　図１
0003099877.tif 000002
【実用新案登録請求の範囲】
【請求項１】
　複数の照明スイッチ回路を制御して、消灯時刻に順に照明を消す消灯制御装置であって、
　１の照明スイッチ回路をＯＦＦ状態にしてから、他の１の照明スイッチ回路をＯＦＦ状態にする消灯間隔時間を設定する消灯パターン設定手段と、
　前記消灯パターン設定手段が設定した消灯間隔時間を記憶する消灯パターン記憶手段と、
　前記消灯パターン記憶手段に記憶された消灯時刻において、１の照明スイッチ回路をＯＦＦ状態にし、前記消灯時刻から前記消灯パターン記憶手段に記憶された前記消灯間隔時間経過後に、他の１の照明スイッチ回路をＯＦＦ状態にする制御手段と
　を具備することを特徴とする消灯制御装置。
【請求項２】
　前記消灯時刻にＯＮ状態となり、前記複数の照明スイッチ回路がＯＦＦ状態となった後にＯＦＦ状態となるタイマをさらに具備し、
　前記制御手段は、前記タイマがＯＮ状態からＯＦＦ状態の間に、前記消灯パターン記憶手段に予め記憶された消灯時刻において、１の照明スイッチ回路をＯＦＦ状態にし、前記消灯時刻から前記消灯パターン記憶手段に予め記憶された前記消灯間隔時間経過後に、他の１の照明スイッチ回路をＯＦＦ状態にする
　ことを特徴とする請求項１に記載の消灯制御装置。
【請求項３】
　前記消灯パターン設定手段は、前記消灯時刻にＯＦＦ状態にする１又は複数の照明スイッチ回路を設定し、
　前記制御手段は、前記消灯パターン設定手段に設定された１又は複数の照明スイッチ回路を前記消灯時刻に同時にＯＦＦ状態にする
　ことを特徴とする請求項１又は請求項２に記載の消灯制御装置。
【請求項４】
　前記消灯パターン設定手段は、前記消灯時刻から前記消灯間隔時間経過後にＯＦＦ状態にする１又は複数の照明スイッチ回路を設定し、
　前記制御手段は、前記消灯パターン設定手段に設定された１又は複数の照明スイッチ回路を前記消灯時刻から前記消灯間隔時間経過後に同時にＯＦＦ状態にする
　ことを特徴とする請求項１から請求項３のいずれかの項に記載の消灯制御装置。
【請求項５】
　前記消灯パターン設定手段は、前記消灯時刻、前記消灯時刻にＯＦＦ状態にする１又は複数の照明スイッチ回路、前記消灯時間間隔、又は、前記消灯時刻から前記消灯間隔時間経過後にＯＦＦ状態にする１又は複数の照明スイッチ回路の設定を表示する表示手段を有する
　ことを特徴とする請求項１から請求項４のいずれかの項に記載の消灯制御装置。
【請求項６】
　前記照明スイッチ回路は、前記制御手段によってＯＦＦ状態にされた後、さらに、他の照明スイッチ切替入力手段からの切替入力を受け付けてＯＮ状態に切り替わる
　ことを特徴とする請求項１から請求項５のいずれかの項に記載の消灯制御装置。
【請求項７】
　前記照明スイッチ回路は、前記制御手段の故障時において、前記他の照明スイッチ切替入力手段からの切替入力を受け付けてＯＮ状態、又は、ＯＦＦ状態に切り替わる
　ことを特徴とする請求項１から請求項６のいずれかの項に記載の消灯制御装置。
【請求項８】
　停電時において、前記タイマに電源を供給する蓄電手段
　をさらに具備することを特徴とする請求項１から請求項７のいずれかの項に記載の消灯制御装置。
【請求項９】
　前記消灯パターン記憶手段は、予め所定数の消灯パターンを記憶しており、
　前記所定数の消灯パターンは、それぞれ異なる消灯時刻から一定時間の消灯間隔時間で１又は複数の照明スイッチ回路を順にＯＦＦ状態にするように設定されている
ことを特徴とする請求項１から請求項８のいずれかの項に記載の消灯制御装置。
【請求項１０】
　前記１又は複数の照明スイッチ回路の近傍に設けられる
　ことを特徴とする請求項１から請求項９のいずれかの項に記載の消灯制御装置。
　
　
【考案の詳細な説明】
【技術分野】
【０００１】
　本考案は、設定時刻において室内照明を切る消灯制御装置に関する。
【背景技術】
【０００２】
　近年、地球環境保護として、「化石燃料の枯渇や地球温暖化防止」に向け、電力使用量の低減が求められている。照明における省エネ対策では、不必要な照明を切ることが望ましい。一方、従来、照明の点灯／消灯をタイマによって制御する技術が存在する。予め設定された時刻に照明の点灯／消灯を行うことで、時刻のスケジュールによっては、うまく不必要な照明を切ることができる。
【考案の開示】
【考案が解決しようとする課題】
【０００３】
　ところが、複数の照明が設置されているような環境下においては、上述したタイマを個々に設けるか、１つのタイマで集中的に照明の点灯／消灯を制御する必要がある。
　前者の場合、電力消費削減効果が設置費用を上回ってしまうという問題がある。
　一方、後者の場合、会社内等の複数の人がそれぞれ別々に異なる作業をしているような環境においては、上述した時刻のスケジュールをどのように設定するかという問題がある。　
　具体的には、例えば、昼休みなど、社内的には作業時間外である時間帯において、省エネのために照明を消そうとしても、実際作業をしている人が居れば消すに消せないのが現状である。
【０００４】
　本考案は、このような事情を考慮してなされたものであり、その目的は、設定時刻において、なかなか消すことが出来ない照明を作業者に違和感を与えずに切ることができる消灯制御装置を提供することにある。
【課題を解決するための手段】
【０００５】
　この考案は上記の課題を解決すべくなされたもので、本考案は、複数の照明スイッチ回路を制御して、消灯時刻に順に照明を消す消灯制御装置であって、１の照明スイッチ回路をＯＦＦ状態にしてから、他の１の照明スイッチ回路をＯＦＦ状態にする消灯間隔時間を設定する消灯パターン設定手段と、前記消灯パターン設定手段が設定した消灯間隔時間を記憶する消灯パターン記憶手段と、前記消灯パターン記憶手段に記憶された消灯時刻において、１の照明スイッチ回路をＯＦＦ状態にし、前記消灯時刻から前記消灯パターン記憶手段に記憶された前記消灯間隔時間経過後に、他の１の照明スイッチ回路をＯＦＦ状態にする制御手段とを具備することを特徴とする。
【０００６】
　また、本考案は、前記消灯時刻にＯＮ状態となり、前記複数の照明スイッチ回路がＯＦＦ状態となった後にＯＦＦ状態となるタイマをさらに具備し、前記制御手段は、前記タイマがＯＮ状態からＯＦＦ状態の間に、前記消灯パターン記憶手段に予め記憶された消灯時刻において、１の照明スイッチ回路をＯＦＦ状態にし、前記消灯時刻から前記消灯パターン記憶手段に予め記憶された前記消灯間隔時間経過後に、他の１の照明スイッチ回路をＯＦＦ状態にすることを特徴とする。
【０００７】
　また、本考案は、前記消灯パターン設定手段は、前記消灯時刻にＯＦＦ状態にする１又は複数の照明スイッチ回路を設定し、前記制御手段は、前記消灯パターン設定手段に設定された１又は複数の照明スイッチ回路を前記消灯時刻に同時にＯＦＦ状態にすることを特徴とする。
【０００８】
　また、本考案は、前記消灯パターン設定手段は、前記消灯時刻から前記消灯間隔時間経過後にＯＦＦ状態にする１又は複数の照明スイッチ回路を設定し、前記制御手段は、前記消灯パターン設定手段に設定された１又は複数の照明スイッチ回路を前記消灯時刻から前記消灯間隔時間経過後に同時にＯＦＦ状態にすることを特徴とする。
【０００９】
　また、本考案は、前記消灯パターン設定手段は、前記消灯時刻、前記消灯時刻にＯＦＦ状態にする１又は複数の照明スイッチ回路、前記消灯時間間隔、又は、前記消灯時刻から前記消灯間隔時間経過後にＯＦＦ状態にする１又は複数の照明スイッチ回路の設定を表示する表示手段を有することを特徴とする。
【００１０】
　また、本考案は、前記照明スイッチ回路は、前記制御手段によってＯＦＦ状態にされた後、さらに、他の照明スイッチ切替入力手段からの切替入力を受け付けてＯＮ状態に切り替わることを特徴とする。
【００１１】
　また、本考案は、前記照明スイッチ回路は、前記制御手段の故障時において、前記他の照明スイッチ切替入力手段からの切替入力を受け付けてＯＮ状態、又は、ＯＦＦ状態に切り替わることを特徴とする。
【００１２】
　また、本考案は、停電時において、前記タイマに電源を供給する蓄電手段をさらに具備することを特徴とする。
【００１３】
　また、本考案は、前記消灯パターン記憶手段は、予め所定数の消灯パターンを記憶しており、前記所定数の消灯パターンは、それぞれ異なる消灯時刻から一定時間の消灯間隔時間で１又は複数の照明スイッチ回路を順にＯＦＦ状態にするように設定されていることを特徴とする。
【００１４】
　また、本考案は、前記１又は複数の照明スイッチ回路の近傍に設けられる。
【考案の効果】
【００１５】
　以上説明したように、本考案によれば、１の照明スイッチ回路をＯＦＦ状態にしてから、他の１の照明スイッチ回路をＯＦＦ状態にする消灯間隔時間を設定する消灯パターン設定手段と、消灯パターン設定手段が設定した消灯間隔時間を記憶する消灯パターン記憶手段と、消灯パターン記憶手段に記憶された消灯時刻において、１の照明スイッチ回路をＯＦＦ状態にし、消灯時刻から消灯パターン記憶手段に記憶された消灯間隔時間経過後に、他の１の照明スイッチ回路をＯＦＦ状態にする制御手段を有する。
　したがって、設定時刻において、なかなか消すことが出来ない照明を作業者に違和感を与えずに切ることができる効果が得られる。
【００１６】
　また、本考案によれば、消灯時刻にＯＮ状態となり、複数の照明スイッチ回路がＯＦＦ状態となった後にＯＦＦ状態となるタイマをさらに具備し、制御部は、タイマがＯＮ状態からＯＦＦ状態の間に、消灯パターン記憶手段に予め記憶された消灯時刻において、１の照明スイッチ回路をＯＦＦ状態にし、消灯時刻から消灯パターン記憶手段に予め記憶された消灯間隔時間経過後に、他の１の照明スイッチ回路をＯＦＦ状態にする。
　したがって、タイマがＯＮ状態からＯＦＦ状態の間にだけ消灯処理を行うため、不要な照明を消すことにより電力消費を削減することが出来るとともに、制御手段を動作させるための電力消費を削減することができる効果が得られる。
【００１７】
　また、本考案によれば、消灯パターン設定手段は、消灯時刻、消灯時刻にＯＦＦ状態にする１又は複数の照明スイッチ回路、消灯時間間隔、又は、消灯時刻から消灯間隔時間経過後にＯＦＦ状態にする１又は複数の照明スイッチ回路の設定を表示する表示手段を有する。
　したがって、ユーザは、必要に応じて、　を操作して設定した消灯パターンを視覚的に確認することが出来る効果が得られる。
【００１８】
　また、本考案によれば、照明スイッチ回路は、制御手段によってＯＦＦ状態にされた後、さらに、他の照明スイッチ切替入力手段からの切替入力を受け付けてＯＮ状態に切り替わる。
　したがって、ユーザは、必要に応じて、照明スイッチ切替入力手段を操作して個別に照明を点灯することができる効果が得られる。
【００１９】
　また、本考案によれば、照明スイッチ回路は、制御手段の故障時において、前記他の照明スイッチ切替入力手段からの切替入力を受け付けてＯＮ状態、又は、ＯＦＦ状態に切り替わる。したがって、故障時においても、ユーザは、照明スイッチ切替入力手段を操作して個別に照明を点灯することができる効果が得られる。
【考案を実施するための最良の形態】
【００２０】
　以下、本考案を実施するための最良の形態について説明する。
【実施例１】
【００２１】
　以下、図面を参照して、本考案の消灯制御装置の一実施形態について説明する。図１は、本実施形態の消灯制御装置１の構成を示すブロック図である。
　図１に示すように、本実施形態の消灯制御装置１は、複数の切替入力部２０−１〜４及び既設照明スイッチ回路２１−１〜４からなる照明スイッチ２と接続されて、この複数の照明スイッチ回路２１−１〜４を制御して、消灯時刻に順に照明を消す消灯処理を行う。
　具体的には、本実施形態の消灯制御装置１は、制御部１０と、タイマ部１１と、消灯パターン選択部１２と、消灯パターン記憶部１３とから構成される。
　制御部１０は、タイマ部１１が出力する時刻情報に基づいて、既設照明スイッチ回路２１−１〜４の消灯制御を行う制御回路（ＣＰＵなどの中央演算処理回路）であって、消灯パターン選択部１２により消灯パターン記憶部１３に設定された消灯パターンに基づいて既設照明スイッチ回路２１−１〜４の消灯順序、消灯時刻、消灯間隔を制御する。
　具体的には、制御部１０は、消灯パターン記憶部１３に記憶された消灯時刻において、既設照明スイッチ回路２１−１〜４の内、１又は複数の既設照明スイッチ回路２１をＯＦＦ状態にし、消灯時刻から消灯パターン記憶部１３に記憶された消灯間隔時間経過後に、他の１又は複数の既設照明スイッチ回路２１をＯＦＦ状態にする。
【００２２】
　タイマ部１１は、制御部１０に時刻情報を供給するタイマであって、消灯時刻にＯＮ状態となり、複数の既設照明スイッチ回路２１−１〜４がＯＦＦ状態となった後にＯＦＦ状態となる。すなわち、制御部１０は、タイマ部１１がＯＮ状態からＯＦＦ状態の間に、消灯パターン記憶部１３に予め記憶された消灯時刻において、既設照明スイッチ回路２１−１〜４の内、１又は複数の既設照明スイッチ回路２１をＯＦＦ状態にし、消灯時刻から消灯パターン記憶部１３に記憶された消灯間隔時間経過後に、他の１又は複数の既設照明スイッチ回路２１をＯＦＦ状態にする。
　なお、タイマ部１１は、コンデンサ等で構成される蓄電池と電力供給線によって接続されており、停電時において、この蓄電池から電源供給を受けるように構成されている。
　消灯パターン選択部１２は、消灯時刻設定部１２−１、消灯間隔設定部１２−２を有しており、消灯時刻、消灯時刻にＯＦＦ状態にする１又は複数の既設照明スイッチ回路２１−１〜４、消灯時間間隔、消灯時刻から消灯間隔時間経過後にＯＦＦ状態にする１又は複数の既設照明スイッチ回路２１−１〜４の設定をユーザの操作によって入力する。ここで、消灯時間間隔とは、既設照明スイッチ回路２１−１〜４の内、１の既設照明スイッチ回路２１をＯＦＦ状態にしてから、他の１の既設照明スイッチ回路２１をＯＦＦ状態にするまでの時間間隔をいう。
　この入力結果に応じて、消灯パターン選択部１２は、消灯時刻にＯＦＦ状態にする１又は複数の既設照明スイッチ回路２１−１〜４を設定し、制御部１０は、消灯パターン選択部１２に設定された１又は複数の既設照明スイッチ回路２１−１〜４を消灯時刻に同時にＯＦＦ状態にする。また、同様に、入力結果に応じて、消灯パターン選択部１２は、消灯時刻から消灯間隔時間経過後にＯＦＦ状態にする１又は複数の既設照明スイッチ回路２１−１〜４を設定し、制御部１０は、消灯パターン選択部１２に設定された１又は複数の既設照明スイッチ回路２１−１〜４を消灯時刻から消灯間隔時間経過後に同時にＯＦＦ状態にする。
　また、図２に示すように、消灯パターン選択部１２は、上述した消灯時刻、消灯時刻にＯＦＦ状態にする１又は複数の既設照明スイッチ回路２１−１〜４、消灯時間間隔、又は、消灯時刻から消灯間隔時間経過後にＯＦＦ状態にする１又は複数の既設照明スイッチ回路２１−１〜４の設定を表示する表示部を有している。
【００２３】
　消灯パターン記憶部１３は、消灯パターン選択部１２が設定した消灯間隔時間を記憶する。上述したように、消灯パターンは、ユーザの操作によって、消灯時刻、消灯時刻にＯＦＦ状態にする１又は複数の既設照明スイッチ回路２１−１〜４、消灯時間間隔、消灯時刻から消灯間隔時間経過後にＯＦＦ状態にする１又は複数の既設照明スイッチ回路２１−１〜４をパラメータとして、任意に設定可能である。
　なお、消灯パターンの実装によっては、さらに、消灯パターン記憶部１３に予め所定数の消灯パターンを書き込んでおくようにしても良い。消灯パターン記憶部１３に予め書き込んでおく所定数の消灯パターンとして、例えば、それぞれ異なる消灯時刻（昼休み時、終業時、最終消灯時など）から一定時間の消灯間隔時間（５秒間隔など）で１又は複数の既設照明スイッチ回路２１−１〜４を順にＯＦＦ状態にする（１つの既設照明スイッチ回路２１ずつ順に５秒毎に消灯する、あるいは、複数の既設照明スイッチ回路２１ずつまとめて順に５秒毎に消灯する）ように設定されている。
【００２４】
　また切替入力部２０−１〜４は、図３に示すように、制御部１０とは別に、ユーザの既設照明スイッチ回路２１−１〜４のＯＮ状態、ＯＦＦ状態を切り替える切替操作を受付けるスイッチ部（インターフェース）であって、切替操作に基づいて既設照明スイッチ回路２１−１〜４を切り替える。
　例えば、既設照明スイッチ回路２１−１〜４は、制御部１０によってＯＦＦ状態にされた後、さらに、他の切替入力部２０−１〜４からの切替入力を受け付けてＯＮ状態に切り替わる。
　すなわち、既設照明スイッチ回路２１−１〜４は、制御部１０とは別の制御線を介して既設照明スイッチ回路２１−１〜４と接続されており、制御部１０の故障時において、他の切替入力部２０−１〜４からの切替入力を受け付けてＯＮ状態、又は、ＯＦＦ状態に切り替わる。なお、本実施形態の消灯制御装置１と既設照明スイッチ回路２１−１〜４とは、それぞれ近傍に設けられる。
【００２５】
　次に、図面を参照して、本実施形態の消灯制御装置１の動作について説明する。図４は、本実施形態の消灯制御装置１における消灯制御処理の過程を示すフローチャートである。
　今、ユーザが、消灯パターン選択部１２において、予め登録された複数の消灯パターンから所望の消灯パターンを選択するか、新規に消灯パターンを設定する場合、消灯パターン選択部１２は、選択又は設定された消灯時刻、消灯時刻にＯＦＦ状態にする１又は複数の既設照明スイッチ回路２１−１〜４、消灯時間間隔、消灯時刻から消灯間隔時間経過後にＯＦＦ状態にする１又は複数の既設照明スイッチ回路２１−１〜４の設定を入力する（ステップＳ１、２）。
【００２６】
　消灯パターン選択部１２において入力された消灯パターンは、制御部１０により、消灯パターン記憶部１３に書き込まれる。このとき、制御部１０は、消灯パターンに設定されている消灯時刻、消灯間隔時間をタイマ部１１にセットしておく。
　次に、消灯時刻において、タイマ部１１はウェイクアップし（ステップＳ３）、制御部１０に消灯時刻を示す時刻情報を出力する。制御部１０は、タイマ部１１から時刻情報を入力すると、消灯パターン記憶部１３に書き込まれた消灯パターンを読み出して、既設照明回路２１−１〜４より消灯時刻にＯＦＦ状態にする既設照明回路２１を選択し、選択した既設照明回路２１に制御信号を出力してＯＦＦ状態にする（ステップＳ４）。図４は、消灯時刻に既設照明回路２１−１を消灯する場合の例を示す。
【００２７】
　そして、消灯時刻から消灯間隔時間経過後において（ステップＳ５）、タイマ部１１は制御部１０に時刻情報を出力し、制御部１０は既設照明回路２１−１〜４より消灯時刻から消灯間隔時間経過後にＯＦＦ状態にする既設照明回路２１を選択し、選択した既設照明回路２１に制御信号を出力してＯＦＦ状態にする（ステップＳ６）。図４は、消灯時刻から消灯間隔時間経過後に既設照明回路２１−２を消灯する場合の例を示す。
【００２８】
　さらに、前回の消灯間隔時間経過後時点から消灯間隔時間を経過後に（ステップＳ７）、タイマ部１１は、同様に、制御部１０に時刻情報を出力し、制御部１０は、ステップＳ６同様に、既設照明回路２１−１〜４より消灯時刻から消灯間隔時間経過後にＯＦＦ状態にする既設照明回路２１を選択し、選択した既設照明回路２１に制御信号を出力してＯＦＦ状態にする（ステップＳ８）。図４は、前回の消灯間隔時間経過後時点から消灯間隔時間を経過後に、既設照明回路２１−３を消灯する場合の例を示す。
【００２９】
　このように、制御部１０は、消灯パターンに設定された消灯時刻、消灯時刻から各消灯間隔時間経過時において、消灯パターン記憶部１３に記憶された消灯パターンに基づいて、ＯＦＦ状態にする既設照明回路２１を選択し、選択した既設照明回路２１に制御信号を出力してＯＦＦ状態にする（ステップＳ９、１０）。
　そして、消灯パターンに設定された既設照明回路２１をすべてＯＦＦ状態にすると、タイマ部１１は、次の消灯時刻までＯＦＦ状態となる。
【００３０】
　なお、制御部１０が選択した既設照明回路２１をＯＦＦ状態にした後で、ユーザが切替入力部２０を操作した場合、切替入力部２０は、既設照明回路２１に制御信号を出力してＯＮ状態とする。
　また、制御部１０が故障して既設照明回路２１に制御信号を出力することが出来ない場合において、ユーザが切替入力部２０を操作した場合、切替入力部２０は、同様に、既設照明回路２１に制御信号を出力してＯＮ状態とする。
【００３１】
　以上説明したように、本実施形態の消灯制御装置によれば、消灯時刻に加えて消灯間隔時間を個別の既設照明回路２１について設定し、この設定に基づいて消灯制御を行う。
　したがって、複数のユーザが作業を行うような環境下において、グループ単位でタイミングをとりながら消灯するので、作業中に消灯してしまったという違和感を低減しながら、不必要な照明を消すことが出来る効果が得られる。
　また、本実施形態の消灯制御装置１は、既設照明回路２１を切り替える切替入力部２０とは別の制御線を介して、既設照明回路２１と接続される。
　したがって、ユーザは、必要に応じて、切替入力部２０を操作して個別に照明を点灯することができる効果が得られる。同様に、制御部１０等の故障時においても、切替入力部２０を操作して個別に照明を点灯することができる効果が得られる。
　また、本実施形態の消灯制御装置１は、切替入力部２０の近傍に設置される。
　したがって、既設照明回路２１と簡易に取り付けられ、設置面積を削減することが出来る効果が得られる。
【００３２】
　上述の消灯制御装置１は、内部に、コンピュータシステムを有している。
　そして、上述した消灯制御処理に関する一連の処理の過程は、プログラムの形式でコンピュータ読み取り可能な記録媒体に記憶されており、このプログラムをコンピュータが読み出して実行することによって、上記処理が行われる。
　すなわち、消灯制御装置１における、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
　ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００３３】
【図１】消灯制御装置１の構成図。
【図２】消灯制御装置１の外観図。
【図３】照明スイッチ２の外観図。
【図４】消灯制御処理のフローチャート。
【符号の説明】
【００３４】
１…消灯制御装置
２…照明スイッチ
１０…制御部
１１…タイマ部
１２…消灯パターン選択部１２
１２−１…消灯時刻設定部
１２−２…消灯間隔設定部
１３…消灯パターン記憶部
２０−１〜４…切替入力部
２１−１〜４…既設照明スイッチ回路
【図１】
0003099877.tif 000003
【図２】
0003099877.tif 000004
【図３】
0003099877.tif 000005
【図４】
0003099877.tif 000006